(57)【特許請求の範囲】
【請求項１】
電気配線引出用の切欠部が側辺に形成されたフロアパネル二枚を切欠部が連通するように突き合わせて形成した取付用切欠部に該フロアパネル上に突出しないように埋設される上方に開口する略箱状をした本体部と、上面がフロアパネル上面と略面一となるように本体部に取付けられる通風性を有する通風蓋と、本体内部に配設される香りの材料を支持する保持部と、本体内部に配設されて香りを本体部より通風蓋を介して上方に噴出させる送出しユニットとで構成し、前記取付用切欠部を為す二つの切欠部の縁部上面に機器取付部としての凹段部を形成すると共に、前記本体部の上端の開口縁から外側に向けて機器取付部と同様の形状をして前記機器取付部としての凹段部に嵌め込まれた時に本体部の上端部とフロアパネルの上面部とがほぼ面一となるようなフランジ状のパネル取着部を設けて成ることを特徴とするフロアパネルの敷設構造。
【発明の詳細な説明】
【０００１】
【発明の属する技術分野】
本発明は、オフィスビル等に設けられる二重床システムのフロアパネルに香り発生器を取り付けてなるフロアパネルの敷設構造に関するものである。
【０００２】
【従来の技術】
オフィスビルやコンピュータビル内のオフィスにおいて、建物躯体の床下地の上方にフロアパネルを隙間を介して配置し、この床下地の上面とフロアパネルとの間に形成される隙間を配線空間としてここに電気配線を配設可能とする二重床システムが知られており、以下に説明する。
【０００３】
フロアパネルは、支持具によって床下地の上方に隙間を介して配置されるもので、建物躯体である床下地の上面に支持具を定間隔で配置し、この支持具の上にフロアパネルを載置して、平面視において隙間無くフロアパネルを敷き詰めるもので、これにはまず、支持脚を床下地の上面に平面視において格子点状に配置し、この支持具が配置されている格子点を四頂点とするように平面視正方形状をしたフロアパネルのそれぞれの頂点である隅部を支持具に載置して、上述したように床下地の上方に配設するものである。
【０００４】
このようにして配設するフロアパネルのうちの一部のものには、フロアパネルの下側の配線空間に配設される電気配線をフロアパネルの上側に引き出すための切欠部が形成してある。これは、フロアパネルの一側辺に平面視矩形状をした切欠部を形成するもので、この切欠部を挿通させることでフロアパネルの下側に配設してある電気配線をフロアパネルの上側に引き出したり、あるいは、この切欠部にコンセント等の電気器具を取り付けて、この電気器具に電気配線の一端部を接続して使用するものである。
【０００５】
このような切欠部を設けたフロアパネルは、予め幾つか分散して配設しておき、電気配線をフロアパネルの下側から上側に引き出す際に引き出したい箇所に一番近い切欠部から引き出すものであり、電気配線が引き出されず電気器具も取り付けられずに使用されない切欠部には、上面がフロアパネルの上面とほぼ面一となる蓋体を取り付けて切欠部を閉塞するものである。
【０００６】
ところで、最近は香りについての研究が進んでおり、香りがストレス解消等に有効であることが分かってきた。このため、オフィス内で働く者のストレス解消のために、香りをオフィス内に充満させることが考えられるようになってきたが、香り発生器を配設する適当な配設スペースがオフィス内に取れないという問題があった。
【０００７】
また、二重床システムのフロアパネルにおいては、上述したように使用されない切欠部があり、この切欠部がデッドスペースとなるという問題があった。
【０００８】
【発明が解決しようとする課題】
本発明は上記の点に鑑みてなされたものであり、その目的とするところは、使用されずにデッドスペースとなっている切欠部にフロアパネル取付型の香り発生器を配設することで配設スペースを特別に設ける必要のないフロアパネルの敷設構造を提供することを課題とするものである。
【０００９】
【課題を解決するための手段】
上記課題を解決するために本発明に係るフロアパネルの敷設構造は、電気配線引出用の切欠部４が側辺に形成されたフロアパネル３二枚を切欠部４が連通するように突き合わせて形成した取付用切欠部４０に該フロアパネル３上に突出しないように埋設される上方に開口する略箱状をした本体部５と、上面がフロアパネル３上面と略面一となるように本体部５に取付けられる通風性を有する通風蓋５３と、本体部５内に配設される香りの材料を支持する保持部６と、本体部５内に配設されて香りを本体部５より通風蓋５３を介して上方に噴出させる送出しユニットとで構成し、前記取付用切欠部４０を為す二つの切欠部４の縁部上面に機器取付部４１としての凹段部を形成すると共に、前記本体部５の上端の開口縁から外側に向けて機器取付部４１と同様の形状をして前記機器取付部４１としての凹段部に嵌め込まれた時に本体部５の上端部とフロアパネル３の上面部とがほぼ面一となるようなフランジ状のパネル取着部５１を設けて成ることを特徴とするものである。このような構成とすることで、デッドスペースとなる使用されない切欠部４にフロアパネル取付型香り発生器Ｋを配設して、特別な配設スペースを取ることなく香り発生器Ｋを配設して香りをオフィス内に充満させることができるものであり、また簡単な構成で容易にデッドスペースとなる使用されない切欠部に香り発生器Ｋを配設することができると共に、本体部５をフロアパネル３の取付用切欠部４０に挿入した際に、パネル取着部５１が取付用切欠部４０の縁部に形成される機器取付部４１としての凹段部に嵌め込まれ、本体部５の上端部とフロアパネル３の上面部とがほぼ面一とすることができる。
【００１１】
【発明の実施の形態】
以下、本発明の一実施形態について、添付図面に基づいて説明する。
【００１２】
まず、オフィスビルに設けられる二重床システムについて説明する。
【００１３】
二重床システムは、オフィスビルやコンピュータビル等のオフィスに設けられるもので、建物躯体であるオフィスの床下地１の上方に支持脚にて隙間２を介してフロアパネル３を配設し、前記隙間２を配線空間としてここに電気配線を配設するものである。
【００１４】
フロアパネル３は、図５，図６に示すように、平面視正方形状をした板状のもので、床下地１の上方に隙間２を介して配設された際に上面がオフィスの床面となるものである。このフロアパネル３には、四隅にコーナーロックネジ等の固着具が挿通される貫通孔３１がそれぞれ穿孔されると共に、この貫通孔３１が穿孔される各隅部の下面には、後述する支持具（図示せず）に載置される凹段部が凹設されるものである。
【００１５】
フロアパネル３が載置される支持具は、特に図示はしないが、オフィスの建物躯体である床下地１の上面に載置されるもので、床下地１の上面に直接載置される台座部と、台座部より上方に突出する脚柱部と、脚柱部の上端部に設けられる受け部とで構成される。受け部には、フロアパネル３の隅部が載置される隅部載置部が四つ形成してあり、一つの支持具にて四枚のフロアパネル３の隅部を載置可能としてある。この隅部載置部は、上述したフロアパネル３の隅部下面の凹段部が載置された際に、この凹段部に穿孔されている貫通孔３１と連通するようにコーナーロック等の固着具が螺合される雌ねじ穴が形成してある。
【００１６】
フロアパネル３を床下地１の上方に配設するには、まず、支持具をオフィスの床下地１の上面上に平面視において格子点状に配置する。そして、この支持具が配置されている格子点を四頂点とするように平面視正方形状をしたフロアパネル３のそれぞれの頂点である隅部を支持具の受け部に形成してある隅部載置部に載置し、このとき連通するフロアパネル３に形成した貫通孔３１と支持具に形成した雌ネジ部とにコーナーロックネジを挿通，螺着して固定するものである。
【００１７】
このようにして配設するフロアパネル３のうちの幾つかは、フロアパネル３の下側の隙間２に配設される電気配線をフロアパネル３の上側に引き出すための切欠部４が形成されるワイヤリングパネル３ａと称されるものであり、また、ワイヤリングパネル３ａ以外のフロアパネル３で切欠部４が形成されないものはプレーンパネル３ｂと称されるものであり、以下にワイヤリングパネル３ａについて以下に説明する。
【００１８】
ワイヤリングパネル３ａは、図５に示すように、プレーンパネル３ｂの側辺（本実施形態では対向する二側辺）に平面視矩形状をした切欠部４を形成するもので、この切欠部４よりフロアパネル３の下側の配線空間に配設してある電気配線をフロアパネル３の上側に引き出したり、あるいはこの切欠部４に電気配線の一端部が接続されるコンセント等の電気器具を取り付けて使用するものである。切欠部４の平面視略コ字状をした縁部上面には、電気器具や後述する蓋体が取り付けられる機器取付部４１としての凹段部が形成される。
【００１９】
このような切欠部４を設けたワイヤリングパネル３ａは、予め幾つか分散させて配設しておき、電気配線をフロアパネル３の下側から上側に引き出す際に引き出したい箇所に一番近い切欠部４から引き出したり、あるいは、コンセント等の電気器具を切欠部４に取付けると共に電気配線の一端部をこの電気器具に接続して使用したりするもので、電気配線が引き出されず電気器具も取り付けられずに使用されない切欠部４には、上面がフロアパネル３の上面とほぼ面一となる蓋体（図示せず）を取り付けて切欠部４を閉塞するものである。また、電気配線を引き出す場合には、電気配線が挿通される孔が形成された配線取出用蓋体（図示せず）を切欠部４に取付けて前記孔より電気配線を引き出してもよいものである。
【００２０】
ワイヤリングパネル３ａを配設するには、図７（ａ）に示すようにフロアパネル３を全てワイヤリングパネル３ａで配設したり、図７（ｂ）に示すようにワイヤリングパネル３ａとプレーンパネル３ｂとを１：１の数比で配設したり、図７（ｃ）に示すようにワイヤリングパネル３ａとプレーンパネル３ｂとを１：３の数比で配設したりすることが考えられるが、本実施形態では、ワイヤリングパネル３ａとプレーンパネル３ｂとの数比が限定されるものではなく、ワイヤリングパネル３ａ二枚を隣接配置すると共に切欠部４を形成した側辺同士を突き合わせ、切欠部４を連通させて平面視略正方形状をした取付用切欠部４０を形成するものである。そして、この取付用切欠部４０にフロアパネル取付型香り発生器Ｋを取付けるものである。
【００２１】
フロアパネル取付型香り発生器Ｋは、図１乃至図３に示すように、箱状の本体部５で外殻が構成され、本体部５の内部には、香りの材料を保持する保持部６としての香料ボックスと、香りの材料をオフィス内へと送り出す送出しユニットとしてのファン７１と、ファン７１を駆動するモータ部７２と、モータ部７２の電源ユニット７３と、香りが吹き出される香り吹出部７４とが収納配置されるもので、以下に説明する。
【００２２】
本体部５は、平面視において上述した取付用切欠部４０とほぼ同じ略矩形状をした箱状のもので、上方に開口している。また、上端の開口縁からは外側に向けてフランジ状のパネル取着部５１が設けてある。パネル取着部５１は、上述した取付用切欠部４０を為す二つの切欠部４の縁部の機器取付部４１と同様の形状の平面視略ロ字状をしたもので、本体部５をフロアパネル３の取付用切欠部４０に挿入した際に、このフランジ状のパネル取着部５１が取付用切欠部４０の縁部に形成される機器取付部４１としての凹段部に嵌め込まれ、本体部５の上端部とフロアパネル３の上面部とがほぼ面一となるものである。
【００２３】
また、このような本体部５の上端部には、本体部５の開口を閉塞する通風蓋５３が嵌入載置される通風蓋載置部５２が凹設される。また、通風蓋５３は、外形が通風蓋載置部５２の外形とほぼ同じ平面視正方形状をしたもので、前記通風蓋載置部５２に嵌入載置されて本体部５の開口を閉塞する。通風蓋５３には、グリル状部５３ａが形成してあり、グリル状部５３ａの香り挿通隙間５３ｂを香りが挿通自在となっているものである。この通風蓋５３は、上方より通風蓋載置部５２に嵌入載置して本体部５に取り付けるものであるため、容易に着脱できる。
【００２４】
本体部５の内部には、図１に示すように、香料ボックスと、香りの材料をオフィス内へと送り出す送出しユニットとしてのファン７１と、ファン７１を駆動するモータ部７２と、モータ部７２の電源ユニット７３と、香りが吹き出される香り吹出部７４とが収納配置される。本実施形態ではファン７１としてシロッコファンを用いるが、特にこれに限定されない。ファン７１は、ファン収納ボックス７０に収納される。ファン収納ボックス７０は、上方に開口する箱状をしたもので、この一側半部にファン７１を配設すると共に、他側半部を香りが上方に向けて吹き出される香り吹出部７４とするものである。また、ファン収納ボックス７０のファン７１が配設される一側半部の側板には、香りが挿通する切欠（図示せず）が形成してあると共に、この側板に隣接して香りの材料を保持する保持部６としての香料ボックスが配設してある。香料ボックスは、側面全面に香りが挿通自在な孔６１が形成してある。また、この香料ボックスは、上方より本体部５に挿入載置するものであるため、本体部５の通風蓋５３を取外した状態で容易に取替え自在となっている。
【００２５】
また、ファン収納ボックス７０に隣接してモーター部が配設され、更にこのモーター部の電源ユニット７３が配置される。なお、図中の７５はスイッチである。
【００２６】
このようなフロアパネル取付型香り発生器Ｋは、ファン７１を駆動することで、香料ボックス内の香りが側面に形成された孔６１よりファン７１によって吸い出され、ファン収納ボックス７０内に吸い込まれると共に香り吹出部７４より上方に向けて通風蓋５３の香り挿通隙間５３ｂを通ってフロアパネル３上方のオフィス内に充満するものである。
【００２７】
以上のような構成によれば、使用されない場合にデッドスペースとなってしまう切欠部４にフロアパネル取付型香り発生器Ｋを配設可能としたことで、オフィス内に配設スペースを特別に設けることなく香り発生器を配設できて、オフィスで働く者のストレスを解消してリラックスさせ、仕事の効率化を図ることができる。また、既設のフロアパネル３において、フロアパネル取付型香り発生器Ｋを後付けにて容易に切欠部４に取り付けることが可能となると共に、使用者の要望に合わせて容易に個数，設置位置等の変更が可能であり、また、電源ユニット７３として太陽電池系を使用することで、地球環境に優しい製品とすることができる。
【００２８】
【発明の効果】
上記のように本発明の請求項１記載の発明にあっては、電気配線引出用の切欠部が側辺に形成されたフロアパネル二枚を切欠部が連通するように突き合わせて形成した取付用切欠部に該フロアパネル上に突出しないように埋設される上方に開口する略箱状をした本体部と、上面がフロアパネル上面と略面一となるように本体部に取付けられる通風性を有する通風蓋と、本体内部に配設される香りの材料を支持する保持部と、本体内部に配設されて香りを本体部より通風蓋を介して上方に噴出させる送出しユニットとで構成し、前記取付用切欠部を為す二つの切欠部の縁部上面に機器取付部としての凹段部を形成すると共に、前記本体部の上端の開口縁から外側に向けて機器取付部と同様の形状をして前記機器取付部としての凹段部に嵌め込まれた時に本体部の上端部とフロアパネルの上面部とがほぼ面一となるようなフランジ状のパネル取着部を設けたので、デッドスペースとなる使用されない切欠部に香り発生器を配設して、特別な場所を設けることなく香り発生器を配設して香りをオフィス内に充満させることができるものであり、また簡単な構成で容易にデッドスペースとなる使用されない切欠部に香り発生器を配設することができると共に、本体部をフロアパネルの取付用切欠部に挿入した際に、パネル取着部が取付用切欠部の縁部に形成される機器取付部としての凹段部に嵌め込まれ、本体部の上端部とフロアパネルの上面部とがほぼ面一とすることができる。
【図面の簡単な説明】
【図１】本発明のフロアパネル取付型香り発生器を示し、（ａ）は通風蓋を外した状態の平面図であり、（ｂ）は側断面図である。
【図２】同上において、（ａ）は通風蓋を取付けた状態の平面図であり、（ｂ）は側面図である。
【図３】同上のフロアパネル取付型香り発生器をフロアパネルに取付けた状態の側断面図である。
【図４】同上の通風蓋を外して持ち上げた状態の斜視図である。
【図５】フロアパネル（ワイヤリングパネル）の斜視図である。
【図６】ワイヤリングパネル２枚を切欠部が連通するように配置した状態を示す斜視図である。
【図７】プレーンパネルとワイヤリングパネルの配置を示し、（ａ）はフロアパネルが全てワイヤリングパネルである場合の例、（ｂ）はプレーンパネルとワイヤリングパネルの数比が１：１の場合の例、（ｃ）はプレーンパネルとワイヤリングパネルの数比が３：１となる場合の例を示す説明図である。
【符号の説明】
３  フロアパネル
４  切欠部
５  本体部
５３  通風蓋
Ｋ  フロアパネル取付型香り発生器
【図１】
0004096571.tif 000002
【図２】
0004096571.tif 000003
【図３】
0004096571.tif 000004
【図４】
0004096571.tif 000005
【図５】
0004096571.tif 000006
【図６】
0004096571.tif 000007
【図７】
0004096571.tif 000008